(57)【特許請求の範囲】
【請求項１】
車載用電源を動力源とする車両に搭載される車載用蓄電装置であって、
前記車載用電源は、単数または複数の電池を含み、
前記車載用蓄電装置の内部の制御を行う制御部と、
前記制御部からの指令により前記車載用電源に接続され、前記車載用電源の前記電池に充電された電力を強制消費する負荷と、
前記制御部からの指令により駆動されて、前記車載用電源の前記電池を冷却する冷却装置と、
前記車載用電源の前記電池と前記冷却装置との間に設けられた降圧部と
を備え、
前記制御部は、前記車両の衝突を検知した場合に、前記降圧部を介さずに前記負荷により前記電池の電力を強制消費させるとともに、前記降圧部を介して前記電池と前記冷却装置とを接続し、前記降圧部により前記電池の電圧を降圧し、降圧した電圧を前記冷却装置に印加して、前記冷却装置により前記電池を冷却する
車載用蓄電装置。
【請求項２】
前記降圧部は、前記電池から前記冷却装置に印加する電圧を、前記冷却装置の駆動可能範囲内になるように降圧するものであって、
前記降圧部は、分圧用負荷、または、電圧変換装置のいずれか一方から構成される、
請求項１に記載の車載用蓄電装置。
【請求項３】
前記冷却装置は、空冷ファンから構成され、
前記空冷ファンからの冷風を前記電池に直接当てることで、前記電池を冷却する
請求項１または２に記載の車載用蓄電装置。
【発明の詳細な説明】
【技術分野】
【０００１】
本発明は車載用蓄電装置に関し、特に、電池に蓄えられた電気エネルギーを動力源とする自動車に搭載される車載用蓄電装置に関する。
【背景技術】
【０００２】
一般に、自動車等の車両には、電池が搭載されている。この電池には、一時的に、電気エネルギーが蓄えられる。蓄電方法としては、例えば内燃機関にベルト等で発電機を接続しておき、内燃機関の回転に伴って発電機で発電された電気エネルギーを当該電池に蓄える。こうして、電池に電気エネルギーを蓄えておくことで、内燃機関が回転しておらず発電機で発電できないような状態であっても、電気機器に必要な電力を電池から供給することができる。【０００３】
また、近年、減速時の車両のエネルギーを効率良く電気エネルギーに変換して電池に充電するために、複数の電池を搭載する車両が開発されている。当該複数の電池には、車両の電気エネルギーを効率良く蓄えるための電池と、車両の始動等に使用される電池とが含まれる。【０００４】
これらの電池、および、当該電池から電気機器への配線は、通常、乗員あるいは整備作業者が直接触れることができないように絶縁処理がなされている。しかしながら、車両が衝突した際には、絶縁部分が破壊され、乗員あるいは整備作業者が感電する可能性がある。【０００５】
車両の衝突事故に対する安全対策の一例は、例えば特許文献１に記載されている。特許文献１では、万一、事故が起きた場合に、電池内部に蓄えられたエネルギーを負荷で強制消費することで、感電対策を行っている。
【先行技術文献】
【特許文献】
【０００６】
【特許文献１】特許第３８９３９６５号公報
【発明の概要】
【発明が解決しようとする課題】
【０００７】
上記の特許文献１においては、車両の衝突後、電力消費のために、電池内部に蓄えられたエネルギーを負荷によって放電している。しかしながら、負荷の抵抗によっては大電流で放電することになる。その結果、電池が発熱し、発火する恐れがある。【０００８】
本発明は、かかる課題を解決するためになされたものであり、万一事故が起きた場合に、大電流での放電行うと共に、冷却装置で電池の冷却を行うことで、電池の発火を抑え、安全性の向上を図ることが可能な、車載用蓄電装置を得ることを目的としている。
【課題を解決するための手段】
【０００９】
本発明は、車載用電源を動力源とする車両に搭載される車載用蓄電装置であって、前記車載用電源は、単数または複数の電池を含み、前記車載用蓄電装置の内部の制御を行う制御部と、前記制御部からの指令により前記車載用電源に接続され、前記車載用電源の前記電池に充電された電力を強制消費する負荷と、前記制御部からの指令により駆動されて、前記車載用電源の前記電池を冷却する冷却装置と、前記車載用電源の前記電池と前記冷却装置との間に設けられた降圧部とを備え、前記制御部は、前記車両の衝突を検知した場合に、前記降圧部を介さずに前記負荷により前記電池の電力を強制消費させるとともに、前記降圧部を介して前記電池と前記冷却装置とを接続し、前記降圧部により前記電池の電圧を降圧し、降圧した電圧を前記冷却装置に印加して、前記冷却装置により前記電池を冷却する。
【発明の効果】
【００１０】
本発明の車載用蓄電装置によれば、車両の衝突時に、負荷により電池の電力を強制消費させるとともに、冷却装置により電池を冷却するようにしたので、万一事故が起きた場合にも、大電流での放電行うと共に、冷却装置で電池の冷却を行うことで、電池の発火を抑え、安全性の向上を図ることができる。
【図面の簡単な説明】
【００１１】
【図１】本発明の実施の形態１に係る車載用蓄電装置を設けた内燃機関の電源系の構成を示した構成図である。
【図２】本発明の実施の形態１に係る車載用蓄電装置の制御装置の処理を示すフローチャートである。
【図３】本発明の実施の形態１における発電電動機と内燃機関との接続の一例を示した構成図である。
【図４】本発明の実施の形態１におけるケースと高電圧蓄電池との構成の一例を示した断面図である。
【発明を実施するための形態】
【００１２】
以下、本発明に係る車載用蓄電装置の実施の形態を図面に基づいて詳細に説明する。なお、以下に説明する実施の形態は、本発明を具体化する際の一形態であって、本発明をその範囲に限定するためのものではない。
【００１３】
実施の形態１．
図１は、本発明の実施の形態１に係る車載用蓄電装置とその周辺の車両の電源系を示した構成図である。
【００１４】
図１において、車載用蓄電装置１５は、自動車等の車両に搭載されている。この場合の「自動車」としては、ハイブリッド自動車に限らず、電気自動車も含む。ハイブリッド自動車とは、電気エネルギーで駆動されるモータとガソリンで駆動される内燃機関とを動力源として併せ持つ自動車である。また、電気自動車とは、電池から出力される電気エネルギーのみを動力源とする。但し、以下では、「自動車」として、ハイブリッド自動車を例に挙げて説明する。
【００１５】
図１に示すように、車載用蓄電装置１５は、ケース１３を備えている。ケース１３は、高電圧蓄電池３、制御部６、負荷７、スイッチ８、スイッチ９、冷却装置１０、分圧用負荷１１、および、演算部１２を、内部に収容している。
【００１６】
また、図１に示すように、車載用蓄電装置１５には、低電圧蓄電池１、電気機器２、発電電動機４、および、電圧変換装置５が接続されている。低電圧蓄電池１は、電気機器２に電力を供給する。低電圧蓄電池１は、例えば、鉛蓄電池から構成される。低電圧蓄電池１の定格電圧は例えば１２Ｖである。電気機器２には、例えば、エアコン、ステレオ、カーナビ、パワーウインドウ、パワーステ、ライトなどの、車両に搭載された電気機器全般が含まれる。また、車載用蓄電装置１５には、衝突検知部１４が接続されている。
【００１７】
高電圧蓄電池３は、車両を駆動するための動力源の１つである。本実施の形態では、車両としてハイブリッド自動車を想定しているので、もう１つの動力源は内燃機関（図３の符号１６参照）である。高電圧蓄電池３は、発電電動機４との間で電力の授受を行う。すなわち、高電圧蓄電池３は、発電電動機４からの電力で充電を行うとともに、発電電動機４に電力を供給して発電電動機４の駆動を行う。高電圧蓄電池３は、例えばリチウムイオン電池から構成される。高電圧蓄電池３の定格電圧は例えば４００Ｖである。但し、高電圧蓄電池３はリチウムイオン電池に限定されず、他の電池から構成してもよい。
【００１８】
発電電動機４は、内燃機関１６に接続されている。例えば、図３に示すように、発電電動機４の回転子軸１７にプーリ１８が設けられ、ベルト１９を介して、内燃機関１６と接続される。内燃機関１６が回転すると、ベルト１９により、発電電動機４も回転する。発電電動機４が回転すると、発電電動機４により発電が行われる。発電された電気エネルギーは、高電圧蓄電池３に充電されるか、あるいは、電圧変換装置５に入力される。電圧変換装置５では、当該電気エネルギーに対して、電圧変換を行い、電気機器２または低電圧蓄電池１に入力する。電気機器２は当該電気エネルギーを消費し、低電圧蓄電池１は当該電気エネルギーで充電を行う。
【００１９】
電圧変換装置５は、高圧側と低圧側との間の電力授受を行うために、電圧の変換を行う。このとき、高圧側と低圧側の電圧がほぼ同電位であれば、電圧変換装置５は不要となる。従って、電圧変換装置５の代わりに、スイッチを設けるようにしてもよい。
【００２０】
制御部６は、スイッチ８、スイッチ９、および、冷却装置１０を制御する。
【００２１】
スイッチ８は、制御部６からの指令信号により、通常運転時と非常時とで切り替わる。通常運転時は、スイッチ８は、低電圧蓄電池１と負荷７とを接続し、低電圧蓄電池１の充電エネルギーを負荷７で消費させる。一方、非常時には、スイッチ８は、高電圧蓄電池３と負荷７とを接続し、高電圧蓄電池３の充電エネルギーを負荷７で強制的に消費させる。
【００２２】
スイッチ９は、冷却装置１０に接続されている。冷却装置１０は、高電圧蓄電池３の冷却を行う。冷却装置１０は、車載用蓄電装置１５に搭載される空冷ファンから構成される。スイッチ９は、制御部６からの指令信号により、低電圧蓄電池１と高電圧蓄電池３とのいずれか一方を、冷却装置１０に接続する。通常運転時は、スイッチ９は、低電圧蓄電池１と冷却装置１０とを接続し、低電圧蓄電池１の電力を用いて冷却装置１０を駆動させる。非常時には、スイッチ９は、分圧用負荷１１を介して高電圧蓄電池３と冷却装置１０とを接続し、高電圧蓄電池３の電力を用いて冷却装置１０を駆動する。このように、通常運転時には、冷却装置１０は低電圧蓄電池１の電力を使用しているため、冷却装置１０は高電圧蓄電池３の電圧に対応していない。そのため、分圧用負荷１１が必要となる。
【００２３】
分圧用負荷１１は、高電圧蓄電池３から冷却装置１０に印加する電圧を、分圧により、冷却装置１０の駆動可能電圧範囲内に低くする。
【００２４】
制御部６には、演算部１２が接続されている。高電圧蓄電池３には、電流センサ（図示せず）および電圧センサ（図示せず）が設けられている。演算部１２は、高電圧蓄電池３の電流センサおよび電圧センサからの情報を基に、高電圧蓄電池３の充電状態を演算して、制御部６に入力する。
【００２５】
衝突検知部１４は、エアバッグ用制御装置（図示せず）等に搭載されている衝突センサを流用する。ただし、衝突検知部１４は、その場合に限らず、エアバッグ用制御装置の衝突センサとは別個に設けるようにしてもよい。衝突検知部１４は、車両の衝突を検知した場合に、それを通知するための検知信号を制御部６に入力する。
【００２６】
負荷７は、車両の衝突などの非常時に、高電圧蓄電池３に充電された電気エネルギーを消費する。具体的には、非常時に、負荷７に高電圧蓄電池３の電極が電気的に接続することで、放電が行われる。図４に、高電圧蓄電池３と負荷７の構成を示す。
【００２７】
図４は、高電圧蓄電池３、負荷７、および、冷却装置１０の構成を示した断面図である。図４に示すように、本実施の形態では、負荷７はケース１３から構成されている。ケース１３は抵抗体から構成されている。ケース１３は、バッテリーマウント２０に搭載されている。ケース１３とバッテリーマウント２０とは固定されている。バッテリーマウント２０は、ケース１３を支えるのに十分な強度を有している。また、ケース１３も、高電圧蓄電池３を保護するのに十分な強度を有している。図４に示すように、高電圧蓄電池３に対して冷却装置１０が密接して設けられている。冷却装置１０は空冷ファンから構成され、空冷ファンからの冷風が、直接、高電圧蓄電池３に当てられ、高電圧蓄電池３が冷却される。こうして、冷却装置１０が駆動されることにより、高電圧蓄電池３からの発熱は放熱される。また、高電圧蓄電池３とケース１３とは、互いに隙間を隔てて配置されている。また、高電圧蓄電池３とケース１３とは、感電防止のための絶縁処理がなされていて、電気的に遮断されている。但し、高電圧蓄電池３とケース１３との間には、スイッチ８が設けられており、制御部６からの指令信号により、スイッチ８が切り替えられることで、高電圧蓄電池３の電極２１とケース１３とがスイッチ８を介して電気的に接続される。このように、本実施の形態では、負荷７は抵抗体であるケース１３自体であり、衝突等の非常時に、制御部６によりスイッチ８が切り替えられ、負荷７と高電圧蓄電池３の電極とがスイッチ８を介して電気的に接続することで、高電圧蓄電池３に充電された電気エネルギーが放電される。
【００２８】
図２は、本発明の実施の形態１に係る車載用蓄電装置１５の制御部６の処理の流れを示したフローチャートである。図２の処理は、一定の周期で、定期的に実施される。当該周期は、例えば１０ｍｓとするが、これに限定することなく、適宜、任意の周期に設定すればよい。
【００２９】
図２に示すように、制御部６は、まず、ステップＳ１では、衝突検知部１４により車両の衝突を検知する。車両の衝突を検知していない場合は、そのまま処理を終了する。
【００３０】
ステップＳ１で車両の衝突を検知した場合は、ステップＳ２に進む。ステップＳ２では、制御部６は、スイッチ８を切替え、負荷７により、高電圧蓄電池３の内部に蓄えられた電気エネルギーの放電を開始する。
【００３１】
ステップＳ３では、制御部６は、高電圧蓄電池３の電気エネルギーで、冷却装置１０を駆動して、高電圧蓄電池３を冷却する。
【００３２】
ステップＳ４では、高電圧蓄電池３の電流センサおよび電圧センサの情報を基に、演算部１２で高電圧蓄電池３の充電状態を演算する。制御部６は、演算部１２で演算された高電圧蓄電池３の充電状態の演算結果を取得する。
【００３３】
ステップＳ５では、制御部６は、高電圧蓄電池３の充電状態が略０（電池がなくなった状態）か否かを判定する。略０の場合はステップＳ６に進む。略０からさらに放電し、過放電となった場合、充電すると電池内部で短絡が発生し、電池が発火や発煙に至る可能性あるため、危険である。一方、略０でない場合は、ステップＳ２の処理に戻る。
【００３４】
ステップＳ６では、制御部６は、スイッチ８を切り替え、負荷７による高電圧蓄電池３の放電を停止する。
【００３５】
ステップＳ７では、制御部６は、冷却装置１０を停止し、処理を終了する。
【００３６】
これにより、万一事故が起きた場合に、負荷７による大電流での放電行うと共に、冷却装置１０で高電圧蓄電池３の冷却を行うことで、安全性を向上できる。
【００３７】
以上のように、本実施の形態に係る車載用蓄電装置１５は、車載用電源を動力源とする車両に搭載され、車載用電源は単数または複数の電池を含む高電圧蓄電池３から構成されている。車載用蓄電装置１５は、内部の制御を行う制御部６と、制御部６からの指令により高電圧蓄電池３に接続されて高電圧蓄電池３に充電された電力を強制消費する負荷７と、制御部６からの指令により駆動されて高電圧蓄電池３を冷却する冷却装置１０とを備えている。制御部６は、衝突検知部１４により車両の衝突を検知した場合に、負荷７により高電圧蓄電池３の電力を強制消費させるとともに、冷却装置１０により高電圧蓄電池３を冷却する。当該構成により、本実施の形態に係る車載用蓄電装置１５は、万一事故が起きた場合に、高電圧蓄電池３の大電流での放電行うと共に、冷却装置１０で高電圧蓄電池３の冷却を行うことで、高電圧蓄電池３が高温になることを抑え、高電圧蓄電池３の発火を未然に防止できるため、安全性を向上することができる。
【００３８】
また、本実施の形態に係る車載用蓄電装置１５は、高電圧蓄電池３と冷却装置１０との間に設けられた分圧用負荷１１をさらに備えている。制御部６は、車両の衝突を検知した場合に、分圧用負荷１１を介して高電圧蓄電池３と冷却装置１０とを接続し、分圧用負荷１１により高電圧蓄電池３の電圧を分圧し、分圧した電圧を冷却装置１０に印加するようにした。これにより、高電圧対応の冷却装置を設ける必要がないため、低コストで、車載用蓄電装置１５を作製することができる。
【００３９】
また、本実施の形態に係る車載用蓄電装置１５においては、冷却装置１０を空冷ファンから構成し、空冷ファンからの冷風を高電圧蓄電池３に直接当てる構成にした。このように、冷却装置１０の冷却風を高電圧蓄電池３に直接当てることが出来るため、大電流放電に伴って発熱した高電圧蓄電池３を効率よく冷却出来るため、安全性を向上することができる。
【００４０】
なお、冷却装置１０は空冷ファンのような空冷式の場合に限られず、水冷式であっても良い。
【００４１】
なお、本実施の形態においては、分圧用負荷１１により降圧しているが、分圧に限らず、トランスによる電圧変換手段で降圧してもよい。
【００４２】
なお、衝突時の冷却装置１０駆動有無を、車載用蓄電装置１５内部の制御部６からの信号を基に実施するのではなく、外部の例えばエンジン制御部等の信号を基に実施しても良い。
【００４３】
なお、負荷７を抵抗体からなるケース１３から構成するとしたが、その場合に限らず、車載用蓄電装置１５内に負荷７を構成するための抵抗体を別途設けるようにしても良い。
【００４４】
なお、高電圧蓄電池３は、単数の電池から構成しても、複数の電池から構成してもよいことは言うまでもない。
【図１】
0006485823.tif 000002
【図２】
0006485823.tif 000003
【図３】
0006485823.tif 000004
【図４】
0006485823.tif 000005